【事件の表示】
　特願２００１−３３１６７３「ＤＶＤオーディオディスクを再生する方法」拒絶査定不服審判事件〔平成１４年　６月２８日出願公開、特開２００２−１８４１１１〕について、次のとおり審決する。
【結　論】
　本件審判の請求は、成り立たない。
【理　由】
第１　手続の経緯の概要
　本件出願（以下、「本願」という。）は、パリ条約による優先権主張（大韓民国、平成９年３月２５日（１９９７１０３３０）、平成９年１０月９日（１９９７５１８６１））を伴って平成１０年３月２５日に出願した特願平１０−９８４８９号の一部を平成１３年９月２１日に新たな特許出願としたものであって、平成１６年６月２２日付けで拒絶査定がなされたところ、平成１６年９月２７日に拒絶査定不服審判が請求されるとともに、平成１６年１０月２７日付けで明細書の手続補正がなされたものである。
　
第２　平成１６年１０月２７日付け手続補正についての補正却下の決定
［補正却下の決定の結論］
　平成１６年１０月２７日付け手続補正（以下、「本件補正」という。）を却下する。
　
［理由］
１．本件補正についての補正の内容
　本件補正は、明細書の特許請求の範囲についてするもので、本件補正前は、
（ａ）「【請求項１】　オーディオタイトルセット情報（ＡＴＳＩ）とそれ続く連続したオーディオオブジェクト（ＡＯＢ）を具備したオーディオタイトル（ＡＴＳ）を有するとともに、ＡＴＳに関する情報を具備したオーディオ管理（ＡＭＧ）を有するＤＶＤオーディオディスクの再生方法であって、
　ＡＭＧを読み取って前記ＡＴＳの位置データを取得し、
　オーディオデコーダを設定して、対応するＡＴＳＩのオーディオストリームアトリビュートを読み取ることによってＡＴＳを再生するためのアルゴリズムを実行し、これによって、
　前記ＡＴＳＩは、オーディオストリームアトリビュートを有し、
　各オーディオストリームアトリビュートは、
　オーディオ符号化モードと、
　再生すべきデータに対応する第１・第２・第３の量子化ビット数と、
　再生すべきデータに対応する第１・第２・第３・第４・第５・第６のサンプリング周波数と、
　再生すべきデータのオーディオチャネル数に関する復号化アルゴリスム情報とを有し、
　前記各ＡＯＢは、オーディオストリームアトリビュート中に貯蔵された復号化アルゴリズムに対応するオーディオデータとともに記録されたオーディオパックを有することを特徴とするＤＶＤオーディオディスクの再生方法。
　　【請求項２】　前記オーディオ符号化モードは、リニアパルスコード変調（ＰＣＭ）オーディオであるとともに、第１〜第３量子化ビット数は、それぞれ１６ビット・２０ビット・２４ビットであり、第１〜第６サンプリング周波数は、それぞれ４８ＫＨｚ・９６ＫＨｚ・１９２ＫＨｚ・４４．１ＫＨｚ・８８．２ＫＨｚ・１７６．４ＫＨｚである
ことを特徴とする請求項１に記載の再生方法。
　　【請求項３】　前記オーディオ符号化モードは、圧縮符号化システムであり、圧縮前のオーディオデータの第１〜第３量子化ビット数は、それぞれ１６ビット・２０ビット・２４ビットであるとともに、第１〜第６サンプリング周波数は、それぞれ４８ＫＨｚ・９６ＫＨｚ・１９２ＫＨｚ・４４．１ＫＨｚ・８８．２ＫＨｚ・１７６．４ＫＨｚであることを特徴とする請求項１に記載の再生方法。
　　【請求項４】　前記第１〜第６サンプリング周波数は、１００ＫＨｚ以上の少なくとも２つのサンプリング周波数を有することを特徴とする請求項１に記載の再生方法。
　　【請求項５】　前記第１〜第６サンプリング周波数のうちの２つは、１９２ＫＨｚと１７６．４ＫＨｚであることを特徴とする請求項１に記載の再生方法。
　　【請求項６】　前記ＡＴＳは、ＡＯＢのオーディオタイトルセットメニューと、
　データのセルを有するＡＯＢのオーディオタイトルセットタイトルとを具備し、複数のセルはＡＯＢであることを特徴とする請求項１に記載の再生方法。
　　【請求項７】　前記ＡＴＳＩは、フィールドの値を有し、
　前記第１〜第６サンプリング周波数は、フィールドの値のうちの二つの対応する状態によって示され、かつ
　前記第１〜第６サンプリング周波数のうちどれが、二つのフィールドの値の状態からサンプリング周波数であるかを決定することを特徴とする請求項１に記載の再生方法。
　　【請求項８】　二つのフィールドの値のうちの一つが、前記サンプリング周波数が１００ＫＨｚ以上であるかどうかを示すことを特徴とする請求項７に記載の再生方法。
　　【請求項９】　二つのフィールドの値のうちの一方が、前記サンプリング周波数が１７６．４ＫＨｚか１９２ＫＨｚの一方であるかどうかを示す
ことを特徴とする請求項７に記載の再生方法。
　　【請求項１０】　二つのフィールドの値のうちの他方が、前記サンプリング周波数が１７６．４ＫＨｚまたは１９２ＫＨｚであることを示す状態を有するとともに、
　前記サンプリング周波数の決定は、一つのフィールドの値を検出して前記サンプリング周波数が１７６．４ＫＨｚまたは１９２ＫＨｚのうちの一つであるかどうかを決定するとともに、
　他のフィールドの値の状態を検出して前記サンプリング周波数が１７６．４ＫＨｚまたは１９２ＫＨｚであるかどうかを決定することを特徴とする請求項９に記載の再生方法。
　　【請求項１１】　二つのフィールドの値のうちの第１のものは、第１または第２の状態を有し、
　第１の状態は、サンプリング周波数が４４．１ＫＨｚ・８８．２ＫＨｚ・１７６．４ＫＨｚのうちのいずれかであることを示し、
　第２の状態は、サンプリング周波数が４８ＫＨｚ・９６ＫＨｚ・１９２ＫＨｚのいずれかであることを示すことを特徴とする請求項７に記載の再生方法。
　　【請求項１２】　二つのフィールドの値のうちの第２のものは、三つの状態を有し、
　サンプリング周波数の決定は、第１のフィールドの値のうちの第１または第２の状態を検出することによりサンプリング周波数が４４．１ＫＨｚ・８８．２ＫＨｚ・１７６．４ＫＨｚのうちの一つか、または４８ＫＨｚ・９６ＫＨｚ・１９２ＫＨｚのうちの一つであるかどうかを決定するとともに、
　第２のフィールドの値の三つの状態を検出することによりサンプリング周波数が１７６．４ＫＨｚまたは１９６ＫＨｚであるかどうかを決定する
ことを特徴とする請求項１１に記載の再生方法。
　　【請求項１３】　読み取られたＡＭＧから発見されたＡＴＳの指定された一つを検出し、
　指定されたＡＴＳの符号化フォーマットを決定するとともに、対応する復号化フォーマットを選択し、かつ
　決定された復号化フォーマットを使用して指定されたＡＴＳを再生することを特徴とする請求項１に記載の再生方法。
　　【請求項１４】　指定されたＡＴＳの再生は、
　オーディオ復号化部により指定されたＡＴＳのオーディオデータを復号化し、
　オーディオ復号化部の動作状態を決定し、
　オーディオ復号化部を使用してオーディオデータを復号化し、
　オーディオ復号化部の動作状態を確認し、
　動作状態が正常であれば、復号化されたオーディオを出力し、
　動作状態が異常であれば、オーディオ復号化部の動作を停止し、オーディオデータ上で治癒アルゴリズムを実行し、オーディオ復号化部の動作を再開することを特徴とする請求項１３に記載の再生方法。
　　【請求項１５】　オーディオタイトルセット情報（ＡＴＳＩ）とそれ続く連続したオーディオオブジェクト（ＡＯＢ）を具備したオーディオタイトル（ＡＴＳ）を有するとともに、ＡＴＳに関する情報を具備したオーディオ管理（ＡＭＧ）を有するＤＶＤオーディオディスクの再生方法であって、
　ＡＭＧを読み取って前記ＡＴＳの位置データを取得し、
　オーディオデコーダを設定して、対応するＡＴＳＩのオーディオストリームアトリビュートを読み取ることによってＡＴＳを再生するためのアルゴリズムを実行し、
　六つのサンプリング周波数を示すことが可能なＡＴＳＩから再生すべきデータのサンプリング周波数を検出し、
　オーディオ符号化モードと、再生すべきデータの量子化ビットと、再生すべきデータのオーディオチャネル数に関する復号化アルゴリスム情報とをＡＴＳＩから検出し、
　検出されたサンプリング周波数と、オーディオ符号化モードと、量子化ビットと、復号化アルゴリズムとに基づいてＡＯＢ中に含まれているオーディオデータを再生することを特徴とするＤＶＤオーディオディスクの再生方法。
　　【請求項１６】　前記ＡＴＳＩは、フィールドの値を有し、第１〜第６サンプリング周波数は、フィールドの値のうちの二つの対応する状態によって示され、
　サンプリング周波数の検出は、第１〜第６サンプリング周波数のうちのどれが、二つのフィールドの値の状態からのサンプリング周波数であるかどうかを決定することを特徴とする請求項１５に記載の再生方法。
　　【請求項１７】　二つのフィールドの値のうちの一つは、サンプリング周波数が１００ＫＨｚ以上であるかどうかを示すことを特徴とする請求項１６に記載の再生方法。
　　【請求項１８】　二つのフィールドの値のうちの一つは、サンプリング周波数が１７６．４ＫＨｚまたは１９２ＫＨｚのうちの一つであるかどうかを示すことを特徴とする請求項１６に記載の再生方法。
　　【請求項１９】　二つのフィールドの値のうちの他方は、サンプリング周波数が１７６．４ＫＨｚまたは１９２ＫＨｚであることを示す状態を有するとともに、
　サンプリング周波数の決定は、一方のフィールドの値を検出することによりサンプリング周波数が１７６．４ＫＨｚまたは１９２ＫＨｚのうちの一つであるかどうかを決定し、かつ
　他方のフィールドの値の状態を検出することによりサンプリング周波数が１７６．４ＫＨｚまたは１９２ＫＨｚであるかどうかを決定することを特徴とする請求項１８に記載の再生方法。
　　【請求項２０】　二つのフィールドの値の第１のものは、第１の状態と第２の状態とを有し、
　第１の状態は、サンプリング周波数が４４．１ＫＨｚ・８８．２ＫＨｚ・１７６．４ＫＨｚのうちの一つであることを示し、かつ
　第２の状態は、サンプリング周波数が４８ＫＨｚ・９６ＫＨｚ・１９２ＫＨｚのうちの一つであることを示す
ことを特徴とする請求項１６に記載の再生方法。
　　【請求項２１】　二つのフィールドの値のうちの第２のものは、三つの状態を有し、
　サンプリング周波数の決定は、第１のフィールドの値の第１または第２状態を検出することによりサンプリング周波数は４４．１ＫＨｚ・８８．２ＫＨｚ・１７６．４ＫＨｚのうちの一つであるか、またはサンプリング周波数が４８ＫＨｚ・９６ＫＨｚ・１９２ＫＨｚのうちの一つであるかを決定するとともに、
　第２のフィールドの値の三つの状態のうちの一つを検出することによりサンプリング周波数が１７６．４ＫＨｚまたは１９２ＫＨｚであるかどうかを決定することを特徴とする請求項２０に記載の再生方法。」
　
というものであったところ、
  　
（ｂ）「【請求項１】　オーディオオブジェクト（ＡＯＢ）が連続連結されるオーディオタイトルセット情報（ＡＴＳＩ）を有するオーディオタイトル（ＡＴＳ）を含み、ＡＴＳに関する情報を有するオーディオ管理（ＡＭＧ）を含むＤＶＤオーディオディスクの再生方法であって、
　前記ＡＴＳの位置データを把握するためにＡＭＧを読み出す過程と、
　前記ＡＴＳＩに応じてオーディオストリームアトリビュートを読み出すことによって、ＡＴＳを再生するためのアルゴリスムを実行するためにオーディオデコーダを設定する過程と、
　前記ＡＴＳＩは、オーディオストリームアトリビュートを含み、
　各オーディオストリームアトリビュートは、
　
リニアパルスコード変調(ＰＣＭ)オーディオである
　再生すべきデータに対応する
１６・２０・２４ビット数
　再生すべきデータに対応する
４８ＫＨｚ・９６ＫＨｚ・１９２ＫＨｚ・４４．１ＫＨｚ・８８．２ＫＨｚ・１７６．４ＫＨｚである
　再生すべきデータのオーディオチャネル数に関する復号化アルゴリスム情報とを有し、
　前記各ＡＯＢは、オーディオストリームアトリビュートに貯蔵された復号化アルゴリズムに対応するオーディオデータとともに記録されたオーディオパックを含むことを特徴とするＤＶＤオーディオディスクの再生方法。
　　【請求項２】　前記オーディオ符号化モードは、圧縮符号化システムであることを特徴とする請求項１に記載の再生方法。
　　【請求項３】　前記ＡＴＳは、ＡＯＢのオーディオタイトルセットメニューと、
　データのセルを有するＡＯＢのオーディオタイトルセットタイトルとを具備し、複数のセルはＡＯＢを有することを特徴とする請求項１に記載の再生方法。
　　【請求項４】　前記ＡＴＳＩは、フィールドの値を有し、
　前記サンプリング周波数は、フィールドの値のうちの二つの対応する状態によって示され、かつ
　二つのフィールドの値の状態から前記サンプリング周波数のうちいずれかがサンプリング周波数であるかを決定することを特徴とする請求項１に記載の再生方法。
　　【請求項５】　二つのフィールドの値のうちの一つが、前記サンプリング周波数が１００ＫＨｚ以上であるかどうかを示すことを特徴とする請求項４に記載の再生方法。
　　【請求項６】　二つのフィールドの値のうちの一方が、前記サンプリング周波数が１７６．４ＫＨｚか１９２ＫＨｚの一方であるかどうかを示すことを特徴とする請求項４に記載の再生方法。
　　【請求項７】　二つのフィールドの値のうちの他方が、前記サンプリング周波数が１７６．４ＫＨｚまたは１９２ＫＨｚであることを示す状態を有するとともに、
　前記サンプリング周波数の決定は、一つのフィールドの値を検出して前記サンプリング周波数が１７６．４ＫＨｚまたは１９２ＫＨｚのうちの一つであるかどうかを決定するとともに、
　他のフィールドの値の状態を検出して前記サンプリング周波数が１７６．４ＫＨｚまたは１９２ＫＨｚであるかどうかを決定することを特徴とする請求項６に記載の再生方法。
　　【請求項８】　二つのフィールドの値のうちの第１のものは、第１または第２の状態を有し、
　第１の状態は、サンプリング周波数が４４．１ＫＨｚ・８８．２ＫＨｚ・１７６．４ＫＨｚのうちのいずれかであることを示し、
　第２の状態は、サンプリング周波数が４８ＫＨｚ・９６ＫＨｚ・１９２ＫＨｚのいずれかであることを示すことを特徴とする請求項４に記載の再生方法。
　　【請求項９】　二つのフィールドの値のうちの第２のものは、三つの状態を有し、
　サンプリング周波数の決定は、第１のフィールドの値のうちの第１または第２の状態を検出することによりサンプリング周波数が４４．１ＫＨｚ・８８．２ＫＨｚ・１７６．４ＫＨｚのうちの一つか、または４８ＫＨｚ・９６ＫＨｚ・１９２ＫＨｚのうちの一つであるかどうかを決定するとともに、
　第２のフィールドの値の三つの状態を検出することによりサンプリング周波数が１７６．４ＫＨｚまたは１９６ＫＨｚであるかどうかを決定することを特徴とする請求項８に記載の再生方法。
　　【請求項１０】　読み取られたＡＭＧから発見されたＡＴＳの指定された一つを検出し、
　指定されたＡＴＳの符号化フォーマットを決定するとともに、対応する復号化フォーマットを選択し、かつ
　決定された復号化フォーマットを使用して指定されたＡＴＳを再生することを特徴とする請求項１に記載の再生方法。
　　【請求項１１】　指定されたＡＴＳの再生は、
　オーディオ復号化部により指定されたＡＴＳのオーディオデータを復号化し、
　オーディオ復号化部の動作状態を決定し、
　オーディオ復号化部を使用してオーディオデータを復号化し、
　オーディオ復号化部の動作状態を確認し、
　動作状態が正常であれば、復号化されたオーディオを出力し、
動作状態が異常であれば、オーディオ復号化部の動作を停止し、オーディオデータ上で治癒アルゴリズムを実行し、オーディオ復号化部の動作を再開することを特徴とする請求項１０に記載の再生方法。」
    　
と補正するものである。なお、下線は当審で付与した。
    　
　本件補正は、請求項１に記載された発明を特定するために必要な事項である「オーディオストリームアトリビュート」について上記（ｂ）下線部分の限定を付加するものであって、平成１８年改正前特許法第１７条の２第４項第２号に規定する特許請求の範囲の減縮を目的とするものに該当する。
　また、本件補正は、補正前の請求項２，４，５，１５〜２１を削除するものであって、平成１８年改正前特許法第１７条の２第４項第１号に規定する請求項の削除を目的とするものに該当する。
   　
　そこで、補正後における特許請求の範囲の請求項１に記載されている事項により特定される発明（以下、「本願補正発明」という。）が特許出願の際独立して特許を受けることができるものであるか（平成１８年改正前特許法第１７条の２第５項において準用する同法第１２６条第５項の規定に違反するか）について以下に検討する。
  　
　ところで、補正後における特許請求の範囲の請求項１に記載された「再生すべきデータに対応する１６・２０・２４ビット数」であるが、「１６・２０・２４ビット数」が「再生すべきデータに対応する」何に関する「ビット数」を表すのか明りょうでない。一方、明細書（特に段落【００１９】〜【００２２】【００３３】〜【００３５】）及び図面（特に第８，２０図）の記載を参酌すると、上記「１６・２０・２４ビット数」は「再生すべきデータ」の量子化ビット数を表している。よって、上記請求項１の上記記載は、「再生すべきデータに対応する１６・２０・２４ビット数である量子化ビット数」として本願補正発明を認定することとする。
   　
　また、本願補正発明の優先権主張の効果に関し、パリ条約による優先権主張に係る第一国出願として示された２件のうちの一方である、大韓民国において平成９年３月２５日に特許出願された１９９７１０３３０の明細書及び図面と同様の内容を有する優先権証明書には、サンプリング周波数が６種類あること及びサンプリング周波数が４８ＫＨｚ、９６ＫＨｚ、１９２ＫＨｚ、４４．１ＫＨｚ、８８．２ＫＨｚ、１７６．４ＫＨｚのいずれか一つであることについて記載されていないことから、本願補正発明については、上記第一国出願として示された２件のうちの他方である、大韓民国において平成９年１０月９日（以下、「優先日」という。）に特許出願された１９９７５１８６１による優先権主張の効果が及ぶものである。
  　
２．引用例
　原査定の拒絶の理由で引用された、本願の優先日前である平成８年１２月１７日に頒布された刊行物である特開平８−３３６１０３号公報（以下、「引用例」という。）には、再生データの属性情報を再生データとともに記録した記録媒体からその属性情報を利用して再生データを適切に再生する方法に関して図面とともに次の技術事項が記載されている。なお、下線は当審で付与した。
   　
（ア）「【請求項９３】ビデオデータ及び
オーディオデータの少なくとも一方を含む再生データが格納されている再生データ領域と前記格納されている再生データ自体に関する管理情報及び再生データの再生手順に関する再生情報が記述され再生情報領域であって、前記管理情報は、ビデオデータ及びオーディオデータの前記一方の再生データを再生信号に変換する為に必要な固有の属性に関する情報を含む再生情報領域とを有する記録媒体から再生データを再生する方法において、
再生情報領域から再生データの再生に先だって再生情報を検索して固有の属性情報を獲得する工程と、
属性情報に適した再生条件で再生データを再生信号に変換する工程と、
を具備することを特徴とする再生方法
…（中略）…
【請求項１０２】
前記属性情報は、オーディオデータのオーディオコーディングモードに関する情報を含み、変換工程では、オーディオデータがこのコーディングモードに従ってデコードされる
…（中略）…
【請求項１０７】
前記属性情報は、オーディオデータの量子化ビット数に関する情報を含み、変換工程では、オーディオデータがこの量子化ビット数に従ってデコードされる
【請求項１０８】
前記属性情報は、オーディオデータのサンプリング周波数に関する情報を含み、変換工程では、オーディオデータをこのサンプリング周波数に従ってデコードされる
【請求項１０９】
前記属性情報は、オーディオデータのオーディオチャネル数に関する情報を含み、変換工程では、オーディオデータをこのオーディオチャネル数内で選定される数に対応するオーディオチャネル信号に変換される
…（中略）…
【請求項１１７】前記属性情報は、オーディオデータのマルチチャンネルオーディオストリームに関する情報を含み、変換工程では、オーディオデータをマルチチャンネルオーディオストリームの属性に従ってデコードされることを特徴とする請求項９３に記載の再生方法。
【請求項１１８】前記属性情報は、オーディオデータのマルチチャンネルオーディオストリームに関する情報を含み、変換工程は、オーディオデータをマルチチャンネルオーディオストリームの属性に従ってミキシングするミキシング工程を含むことを特徴とする請求項９３に記載の再生方法。」
   　
（イ）「【００１０】この発明の目的は、種別の異なる複数のデータが記録されているディスクにおいて、それぞれのデータ属性に従った最適な再生形態を再生システムに設定することができる光ディスクを提供するにある。」
  　
（ウ）「【００１４】
【課題を解決するための手段】…（略）…
【００１７】また、更に、この発明によれば、再生情報領域から再生データの再生に先だって再生情報を検索して固有の属性情報を獲得する工程と、属性情報に適した再生条件で再生データを再生信号に変換する工程と、変換された再生信号を再生する再生工程と、を具備し、ビデオデータ及びオーディオデータの少なくとも一方を含む再生データが格納されている再生データ領域と前記格納されている再生データ自体に関する管理情報及び再生データの再生手順に関する再生情報が記述され再生情報領域であって、前記管理情報は、ビデオデータ及びオーディオデータの前記一方の再生データを再生信号に変換する為に必要な固有の属性に関する情報を含む再生情報領域とを有する記録媒体から再生データを再生する方法が提供される。」
  　
（エ）「【００３４】
図１に示される光ディスク１０のリードインエリア２７からリードアウトエリア２６までのデータ記録領域２８は、図４に示されるようなボリューム及びファイル構造を有している
【００３５】
図４に示されるようにこのボリューム及びファイル構造は
ビデオマネージャー（ＶＭＧ）７１、少なくとも１以上のビデオタイトルセット（ＶＴＳ）７２
を有している
【００３６】…（前略）…
ビデオマネージャー７１には、図５を参照して説明するようにビデオタイトルセットを管理する情報が記述され
各ビデオタイトルセット（ＶＴＳ）７２には、後に説明するように圧縮されたビデオデータ、オーディオデータ及び副映像データ及びこれらの再生情報が格納され
  　
（オ）「【００３８】
図５に示すようにビデオマネージャー７１は、夫々が各ファイル７４に相当する３つの項目を含んでいる。即ち、ビデオマネージャー７１は、ビデオマネージャー情報（ＶＭＧＩ）７５、ビデオマネージャーメニューの為のビデオオブジェクトセット（ＶＭＧＭ＿ＶＯＢＳ）７６及びビデオマネージャー情報のバックアップ（ＶＭＧＩ＿ＢＵＰ）７７から構成されている
このＶＭＧＭ用のビデオオブジェクトセット（ＶＭＧＭ＿ＶＯＢＳ）７６には、ビデオマネージャー７１が管理する当該光ディスク中のボリュームに関するメニューのビデオデータ、オーディオデータ及び副映像データが格納されている
  　
（カ）「【００４０】
ここで、図６を参照してビデオオブジェクトセット（ＶＯＢＳ）８２の構造について説明する。図６は、ビデオオブジェクトセット（ＶＯＢＳ）８２の一例を示している
【００４１】
図６に示すようにビデオオブジェクトセット（ＶＯＢＳ）８２は、１個以上のビデオオブジェクト（ＶＯＢ）８３の集合として定義され、ビデオオブジェクトセット（ＶＯＢＳ）８２中のビデオオブジェクト８３は、同一の用途の供される
タイトルセット用のビデオオブジェクトセット（ＶＴＳＴＴ＿ＶＯＢＳ）８２は、通常、複数のビデオオブジェクト（ＶＯＢ）８３で構成される
  　
（キ）「【００４３】
ビデオオブジェクト（ＶＯＢ）８３には、識別番号（ＩＤＮ#j）が付され、この識別番号によってそのビデオオブジェクト（ＶＯＢ）８３を特定することができる。ビデオオブジェクト（ＶＯＢ）８３は、１又は複数のセル８４から構成される
セルには、識別番号（Ｃ＿ＩＤＮ#j）が付され、このセル識別番号（Ｃ＿ＩＤＮ#j）によってセル８４が特定される
【００４４】
図６に示すように各セル８４は、１又は複数のビデオオブジェクトユニット（ＶＯＢＵ）８５、通常は、複数のビデオオブジェクトユニット（ＶＯＢＵ）８５から構成される。ここで、ビデオオブジェクトユニット（ＶＯＢＵ）８５は、１つのナビゲーションパック（ＮＶパック）８６を先頭に有するパック列として定義される
  　
（ク）「【００４５】
図６に示すようにビデオオブジェクトユニットがビデオデータを含む場合には、ＭＰＥＧ規格に定められたビデオパック（Ｖパック）８８、副映像パック（ＳＰパック）９０及びオーディオパック（Ａパック）９１から構成されるＧＯＰが配列されてビデオデータストリームが構成される
また、オーディオ
のみの再生データにあってもこのビデオオブジェクトユニットを１単位として再生データが構成される。即ち、オーディオパックのみでビデオオブジェクトユニットが構成されても、ビデオデータのビデオオブジェクトと同様にそのオーディオデータが属するビデオオブジェクトユニットの再生時間内に再生されるべきオーディオパックがそのビデオオブジェクトユニットに格納される
   　
（ケ）「【００４６】
再び図５を参照してビデオマネージャー７１について説明する。ビデオマネージャー７１の先頭に配置されるビデオ管理情報７５は、そのビデオマネージャー自体の情報、タイトルをサーチする為の情報、ビデオマネージャーメニューの再生の為の情報、及びビデオタイトルの属性情報の等のビデオタイトルセット（ＶＴＳ）７２を管理する情報が記述され、図５に示す順序で３つのテーブル７８、７９、８０が記録されている
第１のテーブルであるビデオ管理情報管理テーブル（ＶＭＧＩ＿ＭＡＴ）７８は、必須のテーブルであってビデオマネージャー７１のサイズ、このビデオマネージャー７１中の各情報のスタートアドレス、ビデオマネージャーメニュー用のビデオオブジェクトセット（ＶＭＧＭ＿ＶＯＢＳ）７６のスタートアドレス及びその属性情報等が記述されている
【００４７】また、
ビデオマネージャー７１の第２のテーブルであるタイトルサーチポインターテーブル（ＴＴ＿ＳＲＰＴ）７９
ビデオタイトルセットのスタートアドレスが記載されている
【００４８】ビデオマネージャー７１の
第３のテーブルであるビデオタイトルセット属性テーブル（ＶＴＳ＿ＡＴＲＴ）８０には、当該光ディスクのボリューム中のビデオタイトルセット（ＶＴＳ）７２に定められた属性情報が記載される。即ち、属性情報としてビデオタイトルセット（ＶＴＳ）７２の数、ビデオタイトルセット（ＶＴＳ）７２の番号、ビデオの属性、例えば、ビデオデータの圧縮方式等、オーディオストリームの属性、例えば、オーディオの符号化モード等、副映像の属性、例えば、副映像の表示タイプ等がこのテーブルに記載されている
  　
（コ）「【００７０】
次に、図４に示されたビデオタイトルセット（ＶＴＳ）７２の論理フォーマットの構造について図２１を参照して説明する。各ビデオタイトルセット（ＶＴＳ）７２には、図２１に示すようにその記載順に４つの項目９４、９５、９６、９７が記載されている。また、各ビデオタイトルセット（ＶＴＳ）７２は、共通の属性を有する１又はそれ以上のビデオタイトルから構成され、このビデオタイトル７２についての管理情報、例えば、ビデオオブジェクトセット９６を再生する為の情報、タイトルセットメニュー（ＶＴＳＭ）を再生する為の情報及びビデオオブジェクトセット７２の属性情報がビデオタイトルセット情報（ＶＴＳＩ）に記載されている
【００７１】このビデオタイトルセット情報（ＶＴＳＩ）９４のバックアップ９７がビデオタイトルセット（ＶＴＳ）７２に設けられている。
ビデオタイトルセット情報（ＶＴＳＩ）９４とこの情報のバックアップ（ＶＴＳＩ＿ＢＵＰ）９７との間には、ビデオタイトルセットメニュー用のビデオオブジェクトセット（ＶＴＳＭ＿ＶＯＢＳ）９５及びビデオタイトルセットタイトル用のビデオオブジェクトセット（ＶＴＳＴＴ＿ＶＯＢＳ）９６が配置されている。いずれのビデオオブジェクトセット（ＶＴＳＭ＿ＶＯＢＳ及びＶＴＳＴＴ＿ＶＯＢＳ）９５、９６は、既に説明したように図６に示す構造を有している
【００７２】ビデオタイトルセット情報（ＶＴＳＩ）９４、この情報のバックアップ（ＶＴＳＩ＿ＢＵＰ）９７及びビデオタイトルセットタイトル用のビデオオブジェクトセット（ＶＴＳＴＴ＿ＶＯＢＳ）９６は、ビデオタイトルセット７２にとって必須の項目され、ビデオタイトルセットメニュー用のビデオオブジェクトセット（ＶＴＳＭ＿ＶＯＢＳ）９５は、必要に応じて設けられるオプションとされている。」
  　
（サ）「【００７３】
ビデオタイトルセット情報（ＶＴＳＩ）９４は、図２１に示すように７つのテーブル９８、９９、１００、１０１、１１１、１１２、１１３から構成され、この７つのテーブル９８、９９、１００、１０１、１１１、１１２、１１３は、論理セクタ間の境界に一致されている。第１のテーブルであるビデオタイトルセット情報管理テーブル（ＶＴＳＩ＿ＭＡＴ）９８は、必須のテーブルであってビデオタイトルセット（ＶＴＳ）７２のサイズ、ビデオタイトルセット（ＶＴＳ）７２中の各情報の開始アドレス及びビデオタイトルセット（ＶＴＳ）７２中のビデオオブジェクトセット（ＶＯＢＳ）８２の属性が記述されている
  　
（シ）「【００８０】
図２２は、ビデオタイトル情報マネージャーテーブル（ＶＴＳＩ＿ＭＡＴ）９８の記述内容を示している
【００８１】…（略）…
【００８２】…（前略）…
同様にこのテーブル（ＶＴＳＩ＿ＭＡＴ）９８には、ビデオタイトルセット（ＶＴＳ）７２中のビデオタイトルセット（ＶＴＳ）のタイトル（ＶＴＳＴＴ）の為のビデオオブジェクトセット（ＶＴＳＴ＿ＶＯＢＳ）９６の
オーディオストリーム属性（ＶＴＳ＿ＡＳＴ＿ＡＴＲ）、
が記述されている。更に、ビデオタイトルセット（ＶＴＳ）のマルチチャンネルオーディオストリームの属性（ＶＴＳ＿ＭＵ＿ＡＳＴ＿ＡＴＲ）がこのテーブル（ＶＴＳＩ＿ＭＡＴ）９８に記述されている
  　
（ス）「【００８６】…（前略）…
ビデオタイトルセットタイトル（ＶＴＳＴ）のオーディオストリームの属性（ＶＴＳ＿ＡＳＴ＿ＡＴＲ）には、図２３に示されるようにビット番号ｂ６３からビット番号ｂ４８にオーディオコーディングモード、マルチチャンネルの拡張、オーディオタイプ、オーディオのアプリケーションＩＤ、量子化、サンプリング周波数及びオーディオチャネルの数が記述され
  　
（セ）「【００８７】
ＶＴＳＭ及びＶＴＳＴのオーディオストリームの属性（ＶＴＳＭ＿ＡＳＴ＿ＡＴＲ，ＶＴＳ＿ＡＳＴ＿ＡＴＲ）のいずれにおいてもオーディオコーディングモードは、ビット番号ｂ６３、ｂ６２、ｂ６１に記述されている
オーディオコーディングモードに“１００”が記述される場合には、リニアＰＣＭでオーディオデータがコード化されていることを意味している
  　
（ソ）「【００８８】…（前略）…
オーディオデータの量子化に関しては、ビット番号ｂ５５及びｂ５４に記述され、ビット番号ｂ５５及びｂ５４にが“００”の場合は、１６ビットで量子化されたオーディオデータであることを意味し、ビット番号ｂ５５及びｂ５４にが“０１”の場合は、２０ビットで量子化されたオーディオデータであることを意味し、ビット番号番号ｂ５５及びｂ５４にが“１０”の場合は、２４ビットで量子化されたオーディオデータであることを意味し、ビット番号番号ｂ５５及びｂ５４にが“１１”の場合は、特定せずとされている。ここで、オーディオコーディングモードがリニアＰＣＭ（ビット番号ｂ６３、ｂ６２、ｂ６１が“１００”）に設定されている場合には、量子化を特定せず( ビット番号ｂ５５、ｂ５４が“１１”) が記述される。オーディオデータのサンプリング周波数Ｆs に関しては、ビット番号ｂ６９及びｂ６８（当審注：図２３では、サンプリング周波数Ｆｓはビット番号ｂ５３及びｂ５２に記述されており、当該段落の『ｂ６９及びｂ６８』は、『ｂ５３及びｂ５２』の誤記と認める。）に記述され、サンプリング周波数Ｆs が４８ｋＨｚである場合には、“００”が記述され、サンプリング周波数Ｆs が９６ｋＨｚである場合には、“０１”が記述され、その他は予約とされている
  　
（タ）「【００８９】
オーディオチャネル数に関しては、ビット番号ｂ５０からｂ４８に記述され
　
（チ）「【００９０】ＶＴＳオーディオストリームの数（ＶＴＳ＿ＡＳＴ＿Ｎｓ）は、０から８の間で設定される。この為、設定可能なストリーム数に対応して８個のＶＴＳオーディオストリームの属性（ＶＴＳ＿ＡＳＴ＿ＡＴＲ）が用意されている。即ち、ＶＴＳオーディオストリーム＃０からＶＴＳオーディオストリーム＃７までのＶＴＳオーディオストリーム属性（ＶＴＳ＿ＡＳＴ＿Ｎｓ）の領域が設けられ、ＶＴＳオーディオストリームが８個よりも少なく、対応するオーディオストリームがない場合には、ないオーディオストリームに対応する図２２に示すＶＴＳオーディオストリーム属性（ＶＴＳ＿ＡＳＴ＿Ｎｓ）の記述は、全てのビットが“０”となる。」
　
（ツ）「【００９６】ビデオタイトルセット（ＶＴＳ）のマルチチャンネルオーディオストリームの属性（ＶＴＳ＿ＭＵ＿ＡＳＴ＿ＡＴＲ）には、マルチチャネルオーディオストリーム＃０からマルチチャネルオーディオストリーム＃７までの属性情報が記述されている。各マルチチャネルオーディオストリーム属性（ＶＴＳ＿ＭＵ＿ＡＳＴ＿ＡＴＲ）には、オーディオチャネルの内容（カラオケ或いはサラウンド等）、オーディオミキシングの方式等が記述される。」
　
（テ）「【０１０９】
図６を参照して説明したようにセル８４は、ビデオオブジェクトユニット（ＶＯＢＵ）８５の集合とされ、ビデオオブジェクトユニット（ＶＯＢＵ）８５は、ナビゲーション（ＮＶ）パック８６から始まるパック列として定義される
オブジェクトユニット８５がビデオパックを含まない場合であってもＮＶパックがオーディオパック又は／及び副映像パックを含むオブジェクトユニットの先頭に配置される
【０１１０】　…（略）…
【０１１１】他のビデオ、
オーディオ
パック
９０
は、図３６に示すようにＭＰＥＧ２のシステムレーヤに定められると同様にパックヘッダ１２０、パケットヘッダ１２１及び対応するデータが格納されたパケット１２２から構成され
  　
（ト）「【０１１７】次に、上述したビデオデータ属性（ＶＭＧＭ＿Ｖ＿ＡＴＲ，ＶＴＳＭ＿Ｖ＿ＡＴＲ，ＶＴＳ＿Ｖ＿ＡＴＲ）、
オーディオデータ属性（ＶＭＧＭ＿ＡＳＴ＿ＡＴＲ，ＶＴＳＭ＿ＡＳＴ＿ＡＴＲ，ＶＴＳ＿ＡＳＴ＿ＡＴＲ）
に応じて
オーディオデコーダ部６０
Ｄ／Ａ＆再生処理部６４が適切にセットされる
【０１１８】…（略）…
【０１１９】
オーディオデコーダ部６０は、図４３に示すようにレジスタ６０A 、セレクタ６０Ｂ、ＭＰＥＧ１デコーダ６０Ｃ、ＡＣ３デコーダ６０Ｄ、及びＰＣＭデコーダ６０E 、により構成されている
ーディオデータ属性
ＶＴＳ＿ＡＳＴ＿ＡＴＲ
に対応した制御信号がレジスタ６０Ａによって保持され、その出力はセレクタ６０Ｂに出力される。セレクタ６０Ｂは、システムプロセッサ部５４から供給されるオーディオデータをレジスタ６０Ａからの出力に応じて
ＰＣＭデコーダ６０Ｅに選択的に出力される
ＰＣＭデコーダ６０Ｅが選択される場合には、セレクタ６０ＢからのディジタルのオーディオデータがＰＣＭデコーダ６０Ｅによってアナログのオーディオデータにデコードされる
ＰＣＭデコーダ６０Ｅからのデコーダ出力は、オーディオデコーダ部６０のデコーダ出力としてＤ／Ａ＆再生処理部６４内の後述するオーディオ再生処理部２０２へ出力される
　
（ナ）「【０１２８】図１に示される光ディスク装置においては、電源が投入され、光ディスク１０が装填されると、…（中略）…リードイン領域２７に続く、ＩＳＯー９６６０等に準拠してボリュームとファイル構造を規定したボリューム及びファイル構造領域７０が読み出される。即ち、…（中略）…ボリューム及びファイル構造領域７０の内容を読み出し、システムプロセッサ部５４を介して、データＲＡＭ部５６に一旦格納する。システムＣＰＵ部５０は、データＲＡＭ部５６に格納されたパステーブル及びディレクトリレコードを介して各ファイルの記録位置や記録容サイズ等の情報やその他管理に必要な情報としての管理情報を抜き出し、システム用ＲＯＭ＆ＲＡＭ部５２の所定の場所に転送し、保存する。
【０１２９】次に、システムＣＰＵ部５０は、システム用ＲＯＭ＆ＲＡＭ部５２から各ファイルの記録位置や記録容量の情報を参照してファイル番号０番から始まる複数ファイルから成る
ビデオマネージャー７１を取得する
このビデオマネージャー７１を読み出し
【０１３０】この
ビデオマネージャー７１の第１番目のテーブルであるビデオマネージャー情報管理テーブル（ＶＭＧＩ＿ＭＡＴ）７８がサーチされる
ビデオマネージャー情報管理テーブル（ＶＭＧＩ＿ＭＡＴ）がサーチされてタイトルセットサーチポインタテーブル（ＴＴ＿ＳＲＰＴ）７９の開始アドレス、（ＴＴ＿ＳＲＰＴ＿ＳＡ）がサーチされる
【０１３１】このサーチによってタイトルセットサーチポインタテーブル（ＴＴ＿ＳＲＰＴ）７９がシステム用ＲＯＭ＆ＲＡＭ部５２の所定の場所に転送され、保存される。…（中略）…
タイトルサーチポインタ（ＴＴ＿ＳＲＰ）９３から
ビデオタイトルセットのスタートアドレス（ＶＴＳ＿ＳＡ）が獲得される
このタイトルセットのスタートアドレス（ＶＴＳ＿ＳＡ）からシステムＣＰＵ部５０は、目的のタイトルセットを獲得することとなる
【０１３２】
次に、図１５に示すビデオタイトルセット７２のスタートアドレス（ＶＴＳ＿ＳＡ）から図２１に示すようにそのタイトルセットのビデオタイトルセット情報（ＶＴＳＩ）９４が獲得される
オーディオ
データの属性情報
ＶＴＳ＿Ａ＿ＡＴＲ
基づいて図１に示される再生装置の各部がその属性に従って設定される
　
（ニ）「【０１４０】次に、この光ディスク再生装置における
オーディオデータ属性（ＶＴＳ＿ＡＳＴ＿ＡＴＲ）の取得及びこの属性情報（ＶＴＳ＿ＡＳＴ＿ＡＴＲ）に従ったビデオデコーダ及びビデオ再生処理部２０１の設定処理
ビデオタイトルセット情報管理テーブル（ＶＴＳＩ＿ＭＡＴ）９８のオーディオデータ属性群（ＶＴＳ＿ＡＳＴ＿ＡＴＲ）から
オーディオ属性（ＶＴＳ＿ＡＳＴ＿ＡＴＲ）をシステムＣＰＵ部５０が取得する。システムＣＰＵ部５０は、ステップ２３に示すように取得したオーディオデータ属性（ＶＴＳ＿ＡＳＴ＿ＡＴＲ）内に記述されるオーディオ圧縮モードがＭＰＥＧ１、リニアＰＣＭのいずれに準拠しているかの判別し、この判別結果に応じた制御信号をオーディオデコーダ部６０のレジスタ６０Ａに出力する
【０１４１】
これにより、レジスタ６０Ａに供給された制御信号に応じてセレクタ６０Ｂが切換えられ、
ビデオ符号化モード（当審注：『オーディオ符号化モード』の誤記と認める。）がディジタルＰＣＭに準拠している場合、システムプロセッサ部５４からのオーディオデータはセレクタ６０Ｂを介してＰＣＭデコーダ６０Ｅに供給される
　
（ヌ）「【０１６４】
上述した説明においては、ビデオオブジェクトユニットは、ビデオ、オーディオ及び副映像を含むデータ列として説明したが、ビデオ、オーディオ及び副映像のいずれかが含まれれば良く、オーディオパックのみ
で構成されても良い
　
３．対比
　引用例には、前記（ア）ないし（ヌ）の記載事項と図面の記載とを総合勘案すると、次の発明（以下、「引用例発明」という。）が記載されているものと認める。
　
「ビデオマネージャー（ＶＭＧ）とビデオタイトルセット（ＶＴＳ）を含み、
　ビデオマネージャー（ＶＭＧ）にはビデオタイトルセット（ＶＴＳ）のスタートアドレスが記載されるタイトルサーチポインターテーブル（ＴＴ＿ＳＲＰＴ）とビデオタイトルセット属性テーブル（ＶＴＳ＿ＡＴＲＴ）が記述され、
　ビデオタイトルセット（ＶＴＳ）はビデオタイトルセット情報（ＶＴＳＩ）とビデオオブジェクトセット（ＶＯＢＳ）をこの順に有し、
　ビデオオブジェクトセット（ＶＯＢＳ）は１個以上のビデオオブジェクト（ＶＯＢ）の集合として定義され、ビデオオブジェクト（ＶＯＢ）は１又は複数のセルから構成され、セルは１又は複数のビデオオブジェクトユニット（ＶＯＢＵ）から構成され、ビデオオブジェクトユニット（ＶＯＢＵ）はパック列として定義され、
　ビデオオブジェクトユニット（ＶＯＢＵ）がビデオデータを含む場合は、ビデオパック（Ｖパック）、副映像パック（ＳＰパック）及びオーディオパック（Ａパック）からビデオデータストリームが構成され、
　オーディオパックはパックヘッダ、パケットヘッダ及び対応するデータが格納されたパケットから構成され、
　オーディオのみの再生データにあってもこのビデオオブジェクトユニットを１単位として再生データが構成され、オーディオパックのみでビデオオブジェクトユニットが構成されても、ビデオデータのビデオオブジェクトユニットと同様にそのオーディオデータが属するビデオオブジェクトユニット（ＶＯＢＵ）の再生時間内に再生されるべきオーディオパックがそのビデオオブジェクトユニット（ＶＯＢＵ）に格納され、
　前記ビデオタイトルセット情報（ＶＴＳＩ）は、オーディオストリーム属性（ＶＴＳ＿ＡＳＴ＿ＡＴＲ）を備え、各オーディオストリーム属性（ＶＴＳ＿ＡＳＴ＿ＡＴＲ）は、
　ビット番号ｂ６３、ｂ６２、ｂ６１にオーディオコーディングモードが記述され、
オーディオコーディングモードに“１００”が記述される場合には、リニアＰＣＭでオーディオデータがコード化されていることを意味しており、
　ビット番号ｂ５５及びｂ５４にオーディオデータの量子化に関して記述され、“００”の場合は１６ビットで量子化されたオーディオデータであることを意味し、“０１”の場合は２０ビットで量子化されたオーディオデータであることを意味し、“１０”の場合は２４ビットで量子化されたオーディオデータであることを意味し、“１１”の場合は特定せずとされており、
　オーディオコーディングモードがリニアＰＣＭ（ビット番号ｂ６３、ｂ６２、ｂ６１が“１００”）に設定されている場合には、量子化を特定せず( ビット番号ｂ５５、ｂ５４が“１１”) が記述されており、
　ビット番号ｂ５３及びｂ５２にオーディオデータのサンプリング周波数Ｆｓに関して記述され、サンプリング周波数Ｆｓが４８ｋＨｚである場合には“００”が記述され、サンプリング周波数Ｆｓが９６ｋＨｚである場合には“０１”が記述され、その他は予約とされており、
　ビット番号ｂ５０からｂ４８にオーディオチャンネル数に関して記述され、
　前記ビデオオブジェクトユニット（ＶＯＢＵ）はオーディオパックのみで構成されても良い光ディスク
　の再生方法であって、
　タイトルサーチポインターテーブル（ＴＴ＿ＳＲＰＴ）を獲得するためにビデオマネージャー（ＶＭＧ）を読み出し、
　タイトルサーチポインタテーブル（ＴＴ＿ＳＲＰＴ）からビデオタイトルセット（ＶＴＳ）のスタートアドレス（ＶＴＳ＿ＳＡ）を獲得し、
　ビデオタイトルセット（ＶＴＳ）のスタートアドレス（ＶＴＳ＿ＳＡ）からビデオタイトルセット情報（ＶＴＳＩ）を獲得し、
　ビデオタイトルセット情報（ＶＴＳＩ）のビデオタイトルセット情報管理テーブル（ＶＴＳＩ＿ＭＡＴ）からオーディオデータ属性（ＶＴＳ＿ＡＳＴ＿ＡＴＲ）を取得し、
　オーディオデータ属性（ＶＴＳ＿ＡＳＴ＿ＡＴＲ）に応じてオーディオデコーダ部が適切にセットされる
光ディスクの再生方法。」
　
　そこで、本願補正発明と引用例発明とを対比する。
　
（１）引用例発明の光ディスクは、ビデオパック、副映像パック及びオーディオパックからなるビデオオブジェクトユニット（ＶＯＢＵ）からビデオストリームが構成されるものであるが、かかるビデオオブジェクトユニット（ＶＯＢＵ）はオーディオパックのみで構成されても良く、オーディオのみの再生データにあってもこのビデオオブジェクトユニットを１単位として再生データが構成され、オーディオパックのみでビデオオブジェクトユニットが構成されても、そのオーディオデータが属するビデオオブジェクトユニット（ＶＯＢＵ）の再生時間内に再生されるべきオーディオパックがそのビデオオブジェクトユニット（ＶＯＢＵ）に格納されることになるから、引用例発明の光ディスクは、再生データとしてオーディオデータのみが記録される光ディスクを含むものであり、この点において本願補正発明の「オーディオディスク」と共通している。
　
（２）引用例発明の光ディスクはオーディオパックのみでＶＯＢＵが構成されてオーディオデータのみが記録されるものを含み（（１）参照）、引用例発明の光ディスクに含まれるビデオタイトルセット（ＶＴＳ）は、ビデオタイトルセット情報（ＶＴＳＩ）とビデオオブジェクトセット（ＶＯＢＳ）をこの順に有し、ビデオオブジェクトセット（ＶＯＢＳ）は１個以上のビデオオブジェクト（ＶＯＢ）の集合として定義されることから、引用例発明の光ディスクは、オーディオパックのみでＶＯＢＵが構成される場合に、本願補正発明において、「オーディオディスク」が「オーディオオブジェクト（ＡＯＢ）が連続連結されるオーディオタイトルセット情報（ＡＴＳＩ）を有するオーディオタイトル（ＡＴＳ）を含」むことと共通している。
　
（３）引用例発明の光ディスクはオーディオパックのみでＶＯＢＵが構成されてオーディオデータのみが記録されるものを含み（（１）参照）、引用例発明の光ディスクに含まれるビデオマネージャー（ＶＭＧ）には、ビデオタイトルセット（ＶＴＳ）のスタートアドレスが記載されるタイトルサーチポインターテーブル（ＴＴ＿ＳＲＰＴ）とビデオタイトルセット属性テーブル（ＶＴＳ＿ＡＴＲＴ）、すなわちビデオタイトルセット（ＶＴＳ）に関する情報が記述されることから、引用例発明の光ディスクは、オーディオパックのみでＶＯＢＵが構成される場合に、本願補正発明において、「オーディオディスク」が「ＡＴＳ（オーディオタイトル）に関する情報を有するオーディオ管理（ＡＭＧ）を含む」ことと共通している。
　
（４）引用例発明の光ディスクはオーディオパックのみでＶＯＢＵが構成されてオーディオデータのみが記録されるものを含み（（１）参照）、引用例発明の「ビデオオブジェクトセット（ＶＯＢＳ）」は、「１個以上のビデオオブジェクト（ＶＯＢ）」で構成され、「ビデオオブジェクト（ＶＯＢ）」は「複数のセル」から構成され、「各セル」は、「複数のビデオオブジェクトユニット（ＶＯＢＵ）」から構成されることから、引用例発明の光ディスクは、オーディオパックのみでＶＯＢＵが構成される場合に、本願補正発明において「各ＡＯＢ」が、「オーディオデータとともに記録されたオーディオパックを含む」ことと共通している。
　
（５）引用例発明の光ディスクはオーディオパックのみでＶＯＢＵが構成されてオーディオデータのみが記録されるものを含み（（１）参照）、引用例発明の「ビデオタイトルセット情報（ＶＴＳＩ）」は、「オーディオストリーム属性（ＶＴＳ＿ＡＳＴ＿ＡＴＲ）」を備えており、該「オーディオストリーム属性（ＶＴＳ＿ＡＳＴ＿ＡＴＲ）」には、
　・「ビット番号ｂ６３、ｂ６２、ｂ６１にオーディオコーディング
　　モードが記述され」、
　・「ビット番号ｂ５５及びｂ５４にオーディオデータの量子化に
　　関して記述され、“００”の場合は１６ビットで量子化された
　　オーディオデータであることを意味し、“０１”の場合は２０
　　ビットで量子化されたオーディオデータであることを意味し、
　　“１０”の場合は２４ビットで量子化されたオーディオデータ
　　であることを意味し」、
　・「ビット番号ｂ５３及びｂ５２にオーディオデータのサンプリ
　　ング周波数Ｆｓに関して記述され、サンプリング周波数Ｆｓが
　　４８ｋＨｚである場合には“００”が記述され、サンプリング
　　周波数Ｆｓが９６ｋＨｚである場合には“０１”が記述され、
　　その他は予約とされており」、
　・「ビット番号ｂ５０からｂ４８にオーディオチャンネル数に
　　関して記述され」ており、
当該「オーディオストリーム属性（ＶＴＳ＿ＡＳＴ＿ＡＴＲ）」に従って、ＶＯＢＵのオーディオパックに記録されたオーディオデータがデコード、すなわち復号化されるようになされていることから、引用例発明の光ディスクは、オーディオパックのみでＶＯＢＵが構成される場合に、本願補正発明において「ＡＴＳＩ（オーディオタイトル情報）」が「オーディオストリームアトリビュートを含み、各オーディオストリームアトリビュートは、
　オーディオ符号化モードと、
　再生すべきデータに対応する１６・２０・２４ビット数である量子化ビット数と、
　再生すべきデータに対応する４８ＫＨｚ・９６ＫＨｚであるサンプリング周波数と、
　再生すべきデータのオーディオチャネル数に関する復号化アルゴリスム情報とを有」すること及び、「オーディオパック」に記録された「オーディオデータ」が「オーディオストリームアトリビュートに貯蔵された復号化アルゴリズムに対応する」ことと共通している。　
　なお、引用例発明においても、本願補正発明と同様に、オーディオ符号化モードとして「リニアパルスコード変調（ＰＣＭ）オーディオ」を有しているが（（セ）参照）、この点については、再生すべきデータに対応する量子化ビット数に関する相違点（相違点３）において併せて検討する。
　
（６）引用例発明の光ディスクはオーディオパックのみでＶＯＢＵが構成されてオーディオデータのみが記録されるものを含み（（１）参照）、引用例発明では光ディスクの再生時に、タイトルサーチポインターテーブル（ＴＴ＿ＳＲＰＴ）を獲得するためにビデオマネージャー（ＶＭＧ）を読み出し、タイトルサーチポインタテーブル（ＴＴ＿ＳＲＰＴ）からビデオタイトルセット（ＶＴＳ）のスタートアドレス（ＶＴＳ＿ＳＡ）、すなわちＶＴＳの位置データを獲得することから、引用例発明の光ディスクがオーディオパックのみでＶＯＢＵが構成される場合に、本願補正発明において、「オーディオディスク」の再生時に、「ＡＴＳの位置データを把握するためにＡＭＧを読み出す」ことと共通している。
　
（７）引用例発明の光ディスクはオーディオパックのみでＶＯＢＵが構成されてオーディオデータのみが記録されるものを含み（（１）参照）、引用例発明では光ディスクの再生時に、ビデオタイトルセット（ＶＴＳ）のスタートアドレス（ＶＴＳ＿ＳＡ）からビデオタイトルセット情報（ＶＴＳＩ）を獲得し、ビデオタイトルセット情報（ＶＴＳＩ）のビデオタイトルセット情報管理テーブル（ＶＴＳＩ＿ＭＡＴ）からオーディオデータ属性（ＶＴＳ＿ＡＳＴ＿ＡＴＲ）を取得し、オーディオデータ属性（ＶＴＳ＿ＡＳＴ＿ＡＴＲ）に応じてオーディオデコーダ部を適切にセットすることから、引用例発明の光ディスクがオーディオパックのみでＶＯＢＵが構成される場合に、本願補正発明において、「オーディオディスク」の再生時に、「ＡＴＳＩに応じてオーディオストリームアトリビュートを読み出すことによって、ＡＴＳを再生するためのアルゴリスムを実行するためにオーディオデコーダを設定する」ことと共通している。
　
　したがって、本願補正発明と引用例発明とを対比すると、両者は、
　
「オーディオオブジェクト（ＡＯＢ）が連続連結されるオーディオタイトルセット情報（ＡＴＳＩ）を有するオーディオタイトル（ＡＴＳ）を含み、ＡＴＳに関する情報を有するオーディオ管理（ＡＭＧ）を含むオーディオディスクの再生方法であって、
　前記ＡＴＳの位置データを把握するためにＡＭＧを読み出す過程と、
　前記ＡＴＳＩに応じてオーディオストリームアトリビュートを読み出すことによって、ＡＴＳを再生するためのアルゴリスムを実行するためにオーディオデコーダを設定する過程と、
　前記ＡＴＳＩは、オーディオストリームアトリビュートを含み、
　各オーディオストリームアトリビュートは、
　オーディオ符号化モードと、
　再生すべきデータに対応する１６・２０・２４ビット数である量子化ビット数と、
　再生すべきデータに対応する４８ＫＨｚ・９６ＫＨｚであるサンプリング周波数と、
　再生すべきデータのオーディオチャネル数に関する復号化アルゴリスム情報とを有し、
　前記各ＡＯＢは、オーディオストリームアトリビュートに貯蔵された復号化アルゴリズムに対応するオーディオデータとともに記録されたオーディオパックを含むオーディオディスクの再生方法。」
　
の点で一致し、以下の点で相違する。
　
（１）「オーディオディスク」に関し、本願補正発明では該「オーディオディスク」が「ＤＶＤオーディオディスク」であるのに対し、引用例発明では「オーディオディスク」が「ＤＶＤオーディオディスク」であることは特定されていない点。
　
（２）「サンプリング周波数」に関し、本願補正発明ではサンプリング周波数が「４８ＫＨｚ・９６ＫＨｚ・１９２ＫＨｚ・４４．１ＫＨｚ・８８．２ＫＨｚ・１７６．４ＫＨｚ」であるのに対し、引用例発明ではサンプリング周波数が「４８ＫＨｚ・９６ＫＨｚである」である点。
　
（３）「オーディオ符号化モード」及び「量子化ビット数」に関し、本願補正発明では、オーディオ符号化モードがリニアパルスコード変調（ＰＣＭ）オーディオである場合に、量子化ビット数が「１６・２０・２４ビット数」であるのに対し、引用例発明では、量子化ビット数として「１６・２０・２４ビット数」に加えて「特定せず」という場合があり、オーディオ符号化モードがリニアＰＣＭである場合に、量子化ビット数として「特定せず」が記述される（（ソ）参照）点。
　
４．判断
　そこで、上記相違点について検討する。
（相違点１について）
　本願補正発明とＡＭＧ、ＡＴＳ、ＡＴＳＩ、ＡＯＢのデータ構造及び対応関係が共通する引用例発明に係る「オーディオディスク」を「ＤＶＤオーディオディスク」とすることは、単に表現上で相違する程度の事項で実質上の相違点とならないものであり、仮に「ＤＶＤ」という表現を付加したことに相違を認めるとしても、いわゆるＤＶＤがオーディオデータ用途としても用いられることは本願優先日前に当業者間に周知であるから（必要であれば、「ＰＩＯＮＥＥＲ　Ｒ＆Ｄ　Ｖｏｌ．６　Ｎｏ．２」（１９９６年）の第３〜５頁、持木一明著「ＤＶＤ＆ＤＶＣ入門基本１８章」（平成８年１０月２０日　第１版第１刷）の第８９〜９１頁、麻倉怜士著「ＤＶＤ」（平成８年９月２０日　第１版第３刷）の第２２４〜２２８頁などを参照）、上記周知の事項を踏まえて当業者が容易に想到しうる程度の事項にすぎないものである。
　
（相違点２について）
　記録されるオーディオデータのサンプリング周波数として、４８ＫＨｚに加えて周知のＣＤオーディオ（ＣＤ−ＤＡ）に採用されている４４．１ＫＨｚも用いることは、複数のサンプリング周波数のオーディオデータを記録可能なディジタル記録技術として本願優先日前に当業者間に周知であり（必要であれば、特開平３−２６８２７５号公報の第５頁右上欄第７〜１２行や第１０頁左下欄第２０行〜第１１頁右下欄第１４行、特開平７−２２６０２５号公報の段落【０００２】【０００３】【００４４】【００４５】【０１３９】、実願平２−９２６４７号（実開平４−５４０６６号）のマイクロフィルムなどを参照）、引用例発明に係るオーディオディスクにおいて、記録されるオーディオデータのサンプリング周波数として４８ＫＨｚ、９６ＫＨｚに加えて４４．１ＫＨｚを導入することに格別技術的困難性はみいだせない。
　また、高音質なディジタルオーディオを得ることはディジタルオーディオの技術分野における普遍的な課題であって、サンプリング周波数を高くすることが高音質なディジタルオーディオを得る手段の一つであることも本願優先日前に当業者間に周知であり（必要であれば、上記「ＰＩＯＮＥＥＲ　Ｒ＆Ｄ　Ｖｏｌ．６　Ｎｏ．２」の第３〜５頁、上記「ＤＶＤ＆ＤＶＣ入門基本１８章」の第８９〜９１頁、上記「ＤＶＤ」の第２２４〜２２８頁などを参照）、引用例においても、「サンプリング周波数Ｆs が４８ｋＨｚである場合には、“００”が記述され、サンプリング周波数Ｆs が９６ｋＨｚである場合には、“０１”が記述され、その他は予約とされている。」（段落【００８８】）と記載されていることから、引用例発明に係るオーディオディスクが４８ＫＨｚ、９６ＫＨｚ以外のより高いサンプリング周波数を予定していることは明らかである。
　そして、より高いサンプリング周波数を導入するに際して整数倍のサンプリング周波数を選定することはディジタルオーディオの技術分野における当業者に常套手段であり（引用例発明のものも、サンプリング周波数４８ＫＨｚに対して２倍である９６ＫＨｚのサンプリング周波数を導入しているし、また、必要であれば、特開平３−３４１６５号公報の第３頁左上欄第１３行〜同頁左下欄第３行も参照のこと。）、サンプリング周波数として何種類導入するかは必要に応じて当業者が適宜設定しうる事項にすぎないものであるから、引用例発明において、サンプリング周波数として４８ＫＨｚ、９６ＫＨｚに加えて、４８ＫＨｚの４倍にあたる１９２ＫＨｚを導入することや、４４．１ＫＨｚの２倍にあたる８８．２ＫＨｚ、４倍にあたる１７６．４ＫＨｚを導入することは当業者が格別の困難性なくなし得ることである。
　
（相違点３について）
　本願補正発明と引用例発明とは、いずれもオーディオ符号化モードとしてリニアパルスコード変調（リニアＰＣＭ）を有するとともに量子化ビット数として１６・２０・２４ビット数を有しており、また、リニアＰＣＭでオーディオデータを符号化する場合に量子化ビット数を特定のビット数にすることはディジタルオーディオの技術分野における慣用技術であるから（例えば、いわゆるＣＤ−ＤＡでは、量子化ビット数として１６ビットを用いてリニアＰＣＭでオーディオデータが符号化されているし、必要であれば、特開平７−３７３３６号公報の段落【００２３】〜【００２６】【００３９】や第６図も参照のこと。）、引用例発明においてオーディオ符号化モードとしてリニアパルスコード変調を用いた場合に、量子化ビット数として、「特定せず」とすることに替えて「１６・２０・２４ビット数」を用いることは、単なるフォーマットの選択に過ぎず、格別のものではない。
　
　審判請求人が審判請求の理由の「２）進歩性判断手法」の中で主張している点は、引用例発明がオーディオデータに加えてビデオデータを必ず含むＤＶＤビデオディスクであるとの前提にたった主張であり、引用例発明を必要以上に狭く解釈するものである。引用例発明に記載された光ディスクが再生データとしてオーディオデータのみを有することを許容するものであることは上記「３．対比」の（１）で述べたとおりである。また、上記「４．判断」で述べたように、いわゆるＤＶＤがオーディオデータ用途としても用いられることや、高音質なディジタルオーディオを得ることがディジタルオーディオの技術分野における普遍的な課題であって、サンプリング周波数を高くすることが高音質なディジタルオーディオを得る手段の一つであることは、いずれも当業者間の周知事項であり、これらは引用例発明に記載された光ディスクから本願補正発明に係るＤＶＤオーディオディスクを想到するための有力な動機付け又は、示唆・教示に他ならない。
　よって、審判請求人の主張は当を得ておらず、採用することができない。
　
　そして、上記相違点を総合して判断しても、本願補正発明の奏する効果は、引用例発明及び周知技術から当業者が十分に予測できたものであって、格別のものとはいえない。
　
　したがって、本願補正発明は、本願優先日前に頒布された引用例に記載された発明に基づいて周知技術を勘案することで当業者が容易に発明をすることができたものであるから、特許法第２９条第２項の規定により、特許出願の際独立して特許を受けることができないものである。
　
５．本件補正についてのむすび
　以上のとおり、本件補正は、平成１８年改正前特許法第１７条の２第５項において準用する同法第１２６条第５項の規定に違反するものであるから、特許法第１５９条第１項の規定において読み替えて準用する同法第５３条第１項の規定により却下すべきものである。
　
第３　本願発明について
１．本願発明
　平成１６年１０月２７日付け手続補正は上記のとおり却下されたので、本願の請求項１乃至２１に記載された発明は、出願当初の明細書及び図面の記載からみて、その特許請求の範囲の請求項１乃至２１に記載された事項により特定されるものであるところ、その請求項１に記載された発明（以下、「本願発明」という。）は上記「第２　１．（ａ）」において本件補正前の請求項１として記載したとおりのものである。
　
２．引用例
　原査定の拒絶の理由で引用された引用例の記載事項は、上記「第２　２．」に記載したとおりである。
　
３．対比判断
　本願発明は、上記「第２」で検討した本願補正発明において、「オーディオ符号化モード」についての限定事項である「リニアパルスコード変調（ＰＣＭ）オーディオである」を省き、量子化ビット数についての限定事項である「再生すべきデータに対応する１６・２０・２４ビット数」を数値限定をなくして「再生すべきデータに対応する第１・第２・第３の量子化ビット数」とし、「サンプリング周波数」についての限定事項である「４８ＫＨｚ・９６ＫＨｚ・１９２ＫＨｚ・４４．１ＫＨｚ・８８．２ＫＨｚ・１７６．４ＫＨｚであるサンプリング周波数」を数値限定をなくして「再生すべきデータに対応する第１・第２・第３・第４・第５・第６のサンプリング周波数」としたものである。
　そうすると、本願発明を特定するために必要な事項を全て含み、さらに他の事項を付加したものに相当する本願補正発明が、上記「第２　３．」「第２　４．」に記載したとおり、引用例に記載された発明に基づいて周知技術を勘案することで当業者が容易に発明をすることができたものであるから、本願発明も、同様の理由により、引用例に記載された発明に基づいて周知技術を勘案することで当業者が容易に発明をすることができたものである。
　
４．むすび
　以上のとおり、本願の請求項１に係る発明は、その優先日前に日本国内又は外国において頒布された刊行物に記載された発明に基づいて当業者が容易に発明をすることができたものであるから、特許法第２９条第２項の規定により特許を受けることができない。
　したがって、本願は、その余の請求項に論及するまでもなく、拒絶すべきものである。
　
　よって、結論のとおり審決する。